(57)【特許請求の範囲】
【請求項１】
上下方向に略沿って形成された複数の折り線を有した略矩形状の板紙材の両端部を貼着して上下方向を開口した略筒状に形成され下端部を内方に折り返して形成された支持部を備えた容器本体と、
板紙材にて形成され前記支持部上に取り付けられて前記容器本体の開口を閉塞する底板と、
板紙材にて形成され前記容器本体の上方の開口に取り外し可能に固定される蓋体とを具備し、
前記容器本体は、前記複数の折り線にて囲まれた複数の側面部により前記開口を変形自在とし、外方に折り曲げられて前記開口の縁部を形成する折曲部が複数の前記側面部間に連続して上端に形成され、かつ、前記支持部を折り返した部分に沿って切込部が形成された
ことを特徴とした使い捨て包装用容器。
【請求項２】
蓋体は、この蓋体の外縁部から外方に突出してこの蓋体と一体に設けられ容器本体の外側面に取り外し可能に取り付けられて前記蓋体を前記容器本体の上方の開口に固定する取付部を備えた
ことを特徴とした請求項１記載の使い捨て包装用容器。
【請求項３】
蓋体は、透光性を有するシートが取り付けられた貫通孔を略中心域に備えた
ことを特徴とした請求項１または２記載の使い捨て包装用容器。
【発明の詳細な説明】
【０００１】
【発明の属する技術分野】
本発明は、たとえば弁当などの食品を包装する使い捨て包装用容器に関する。
【０００２】
【従来の技術】
従来、この種の使い捨て包装用容器は、たとえばポリエチレン（polyethylene）、あるいはポリプロピレン（polypropylene）などの合成樹脂にて予め箱状に成形された容器本体を備えている。
【０００３】
そして、この容器本体内にたとえば弁当などの被包装物を包装した状態で、この容器本体の上方に、たとえばポリエチレン、あるいはポリプロピレンなどの合成樹脂にて予め成形された蓋体を被嵌する。
【０００４】
【発明が解決しようとする課題】
しかしながら、上述の包装用容器は、容器本体および蓋体が合成樹脂などにて形成されていることにより、この包装用容器の使用済み後のリサイクルが容易でない。また、この包装用容器は、合成樹脂にて予め成形されていることにより、被包装物を包装しなくても嵩張るとともに被包装物の種類および形状などに応じて多種用意しなければならないなど、使い勝手が良好でないという問題点を有している。
【０００５】
本発明はこのような点に鑑みなされたもので、使い勝手が良好で使用済み後に容易にリサイクルできる使い捨て包装用容器を提供することを目的とする。
【０００６】
【課題を解決するための手段】
請求項１記載の使い捨て包装用容器は、上下方向に略沿って形成された複数の折り線を有した略矩形状の板紙材の両端部を貼着して上下方向を開口した略筒状に形成され下端部を内方に折り返して形成された支持部を備えた容器本体と、板紙材にて形成され前記支持部上に取り付けられて前記容器本体の開口を閉塞する底板と、板紙材にて形成され前記容器本体の上方の開口に取り外し可能に固定される蓋体とを具備し、前記容器本体は、前記複数の折り線にて囲まれた複数の側面部により前記開口を変形自在とし、外方に折り曲げられて前記開口の縁部を形成する折曲部が複数の前記側面部間に連続して上端に形成され、かつ、前記支持部を折り返した部分に沿って切込部が形成されたものである。
【０００７】
そして、上下方向に略沿って形成された複数の折り線を有した略矩形状の板紙材の両端部を貼着して上下方向を開口した略筒状の容器本体を形成し、この容器本体の下端部をこの容器本体の内方に折り返して支持部を形成し、容器本体の開口を複数の折り線にて囲まれた複数の側面部により変形自在とし、容器本体の上端に、外方に折り曲げられて開口の縁部を形成する折曲部を複数の側面部間に連続して形成し、支持部を折り返した部分に沿って切込部を形成するとともに、板紙材にて形成した底板をこの支持部上に取り付けて容器本体の開口を閉塞し、板紙材にて形成した蓋体を容器本体の上方の開口に取り外し可能に固定する。この結果、被包装物を包装する前には、容器本体、底板および蓋体を板状にできるため嵩張らず、被包装物を包装する際には、底板の形状を変えるだけで容器本体の開口を複数の折り線に沿ってこの底板の形状に合わせた形状に変形できるなど使い勝手が良好になるとともに、使用済み後のリサイクルが容易になる。
【０００８】
請求項２記載の使い捨て包装用容器は、請求項１記載の使い捨て包装用容器において、蓋体は、この蓋体の外縁部から外方に突出してこの蓋体と一体に設けられ容器本体の外側面に取り外し可能に取り付けられて前記蓋体を前記容器本体の上方の開口に固定する取付部を備えたものである。
【０００９】
そして、蓋体の外縁部から突出させてこの蓋体と一体に設けた取付部を容器本体の上方の外側面に取り外し可能に取り付けて蓋体をこの容器本体の上方の開口に固定することにより、この蓋体の容器本体に包装された被包装物への接触を防止してこの被包装物を衛生的に包装することが可能になる。
【００１０】
請求項３記載の使い捨て包装用容器は、請求項１または２記載の使い捨て包装用容器において、蓋体は、透光性を有するシートが取り付けられた貫通孔を略中心域に備えたものである。
【００１１】
そして、蓋体の略中心域に貫通孔を設けてこの貫通孔に透光性を有するシートを取り付けることにより、容器本体の上方の開口に蓋体を取り付けた状態でもこの容器本体に包装された被包装物がこの容器本体の外部に蓋体の貫通孔を介して露出するため、この被包装物を外部から確認することが可能になる。
【００１２】
【発明の実施の形態】
以下、本発明の使い捨て包装用容器の一実施の形態の構成を図１ないし図３を参照して説明する。
【００１３】
図１において、１は被包装物としてのたとえば弁当などの食品を包装する使い捨て包装用容器であり、この使い捨て包装用容器１は、容器本体２、底板３、および蓋体４を備えている。
【００１４】
ここで、容器本体２は、図２に示すように、略細長矩形状の板紙材５にて形成されている。この板紙材５は、この板紙材５の幅方向に略沿って複数、たとえば２９条の折り線６がこの板紙材５の長手方向に略等間隔に互いに離間されて形成されており、これら各折り線６にて囲まれた板紙材５の略矩形状の各領域が、それぞれ３０個の側面部７となっている。また、この板紙材５の長手方向の一端である側面部７の側縁には、この側縁に沿って形成された折り線８を介して略矩形状の貼着部11がこの板紙材５の長手方向に突出してこの板紙材５と一体に形成されている。この貼着部11を、板紙材５の長手方向におけるこの貼着部11と反対側の一端の側面部７の内面に、たとえば接着剤にて貼着することにより、容器本体２は板紙材５の幅方向、すなわちこの容器本体２の上下方向に開口部12が形成された略筒状に形成されるととともに、各側面部７によりこの開口部12が変形自在となっている。
【００１５】
さらに、容器本体２の下端側には、板紙材５の長手方向に略沿って折り線13が形成されており、この折り線13上には、この折り線13に沿って複数、たとえば折り線６の４条置き、すなわち側面部７の３つ置きに、折り線６の３条分、すなわち側面部２つに亘って計１０箇所、切込部14が形成されている。この折り線13により、容器本体２の下端部がこの容器本体２の内方に折り曲げられるとともに、側面部７におけるこれら切込部14および折り線６にて囲まれる部分が容器本体２の内方にそれぞれ突出して支持部15が形成されている。
【００１６】
そして、容器本体２の上端側には、板紙材５の長手方向に略沿って、折り線21が形成されている。この折り線21は、容器本体２の上下方向について折り線13と互いに略対称な位置に形成されている。また、板紙材５の上端縁には、折り線６に沿って複数、たとえば２つの切欠部22が折り線21まで切り欠き形成されている。これら切欠部22は、容器本体２の中心に対して互いに対称な位置に形成されており、板紙材５における折り線21およびこれら切欠部22にて囲まれた領域が略矩形状の折曲部23となっている。この折曲部23は、折り線21を介して容器本体２の外方へと折り曲げられ容器本体２の開口部12の縁部を形成する。
【００１７】
一方、底板３は、板紙材24にて略円形状に形成されている。この底板３は、外周寸法が板紙材５の長手寸法と略等しく形成されている。このため、この底板３は、容器本体２の内側に嵌着して支持部15上に取り付けた際に、この底板３の外周部が容器本体２の内周部と略一致してこの容器本体２の開口部12を閉塞し、この底板３の上面と容器本体２の上端との間に被包装物としての食品などが収容される。
【００１８】
さらに、蓋体４は、底板３よりも若干大きい半径を有した板紙材25にて形成されており、この板紙材25の略中心域には、容器本体２の開口部よりも小さい半径寸法を有した貫通孔26が形成されている。この貫通孔26には、たとえば透明なセロハンなどにて形成された透光性を有するシート27が取り付けられており、このシート27を介して容器本体２の内部がこの容器本体２の外部へと露出している。また、この板紙材25の外縁部には、蓋体４の外方に突出した略矩形状の取付部28が、折り線29を介して複数、たとえば４つ、この蓋体４と一体にそれぞれ形成されている。これら取付部28は、板紙材25の周方向に略等角度、すなわち略９０°毎に互いに離間されて設けられており、折り線29を介してそれぞれ蓋体４の下方に折り曲げられている。これら取付部28を容器本体２の折曲部23の外面に、たとえば剥離容易な接着剤などにて取り付けることにより、蓋体４は容器本体２の上方の開口部12に取り外し可能に固定される。
【００１９】
次に、上記一実施の形態の組立方法および作用を説明する。
【００２０】
まず、板紙材５の貼着部11を折り線８から折り曲げつつこの板紙材５の長手方向の他端の側面部７の内面にたとえば接着剤などを介して接着して、容器本体２を形成する。
【００２１】
次いで、折り線13を介して容器本体２の下端部をこの容器本体２の内方に折り曲げてこの容器本体２の内面に重合させ、切込部14を介して側面部７におけるこれら切込部14および折り線６にて囲まれる部分をそれぞれこの容器本体２の内方に突出させて支持部15を形成する。
【００２２】
さらに、容器本体２の上端部を折り線21を介してこの容器本体２の外方に折り曲げることにより、折曲部23を形成する。このとき、切欠部22により、この折曲部23が容易に形成される。
【００２３】
この後、底板３を容器本体２の支持部15上に取り付ける。このとき、容器本体２およびこの容器本体２の開口部12が折り線６により底板３の形状である外形に沿った形状に変形する。
【００２４】
また、この底板３の外周部と容器本体２の内周部との連接部に図示しないバターロール紙などの、いわゆるろう紙を、たとえば１３０℃程度で熱プレスして溶着する。
【００２５】
そして、容器本体２内に弁当などの食品を収容した状態で蓋体４をこの容器本体２の上方に被嵌し、この蓋体４の取付部28を容器本体２の折曲部23に、たとえば剥離容易な接着剤などを介して接着することにより、この蓋体４を容器本体２の開口部12の上方に取り外し可能に固定する。
【００２６】
上述したように、上記一実施の形態によれば、上下方向に略沿って形成された複数の折り線６を有した略矩形状の板紙材５の貼着部11とこの板紙材５の長手方向におけるこの貼着部11と反対側とを接着して上下方向に開口部12を形成した略筒状の容器本体２を形成し、この容器本体２の下端部を折り線13に沿ってこの容器本体２の内方に折り返して支持部15を形成し、板紙材24にて形成した底板３をこの支持部15上に取り付けて容器本体２の開口部12を閉塞し、板紙材25にて形成した蓋体４を容器本体２の上方の開口部12に取り外し可能に固定する。この結果、食品などを包装する前には、容器本体２、底板３および蓋体４を板状にできるため嵩張らず、食品などを包装する際には、底板３の形状を変えるだけで容器本体２が複数の折り線６に沿ってこの底板３の外形に合わせた形状に変形できるなど使い勝手を良好にできるとともに、使用済み後のリサイクルを容易にできる。
【００２７】
また、蓋体４の外縁部から突出させてこの蓋体４と一体に設けた取付部28を容器本体２の上方の外側面に取り外し可能に取り付けて蓋体４をこの容器本体２の上方の開口部12に固定することにより、この蓋体４の容器本体２に包装された食品などへの接触を防止してこの食品などを衛生的に包装できる。
【００２８】
さらに、蓋体４の略中心域に貫通孔26を設けてこの貫通孔26に透光性を有するシート27を取り付けることにより、容器本体２の上方の開口部12に蓋体４を取り付けた状態でもこの容器本体２に包装された食品などがこの容器本体２の外部に蓋体４の貫通孔26を介して露出するため、この食品を外部から確認できる。
【００２９】
そして、底板３の外周部と容器本体２の内周部との連接部にバターロール紙などのろう紙を熱プレスにて溶着することにより、この熱プレスの際の熱により容器本体２内が滅菌されるため、より食品などを衛生的に包装できる。
【００３０】
また、板紙材５の上端側に切欠部22を形成したことにより、折曲部23を板紙材５の上側に容易に折り曲げできる。
【００３１】
なお、上記一実施の形態において、底板３は、外周寸法が板紙材５の長手寸法と略等しく形成すれば、たとえば矩形状、三角形状、あるいは楕円形状など、様々な形状にすることが可能であり、円形状に限定されるものではない。これらの場合にも、容器本体２をこの底板３の外形に沿った形状に変形できる。
【００３２】
また、容器本体２の側面部７は、より多く形成してもよく、あるいはより少なくしてもよい。
【００３３】
さらに、蓋体４は、底板３に略沿った形状に形成する。
【００３４】
そして、蓋体４の貫通孔26は、容器本体２内に収容された食品などを確認できれば様々な形状および大きさにでき、この容器本体２内に収容された食品などを確認しなくてもよい場合には、この貫通孔26を蓋体４に形成しなくてもよい。
【００３５】
【発明の効果】
請求項１記載の使い捨て包装用容器によれば、上下方向に略沿って形成された複数の折り線を有した略矩形状の板紙材の両端部を貼着して上下方向を開口した略筒状の容器本体を形成し、この容器本体の下端部をこの容器本体の内方に折り返して支持部を形成し、容器本体の開口を複数の折り線にて囲まれた複数の側面部により変形自在とし、容器本体の上端に、外方に折り曲げられて開口の縁部を形成する折曲部を複数の側面部間に連続して形成し、支持部を折り返した部分に沿って切込部を形成するとともに、板紙材にて形成した底板をこの支持部上に取り付けて容器本体の開口を閉塞し、板紙材にて形成した蓋体を容器本体の上方の開口に取り外し可能に固定する。この結果、被包装物を包装する前には、容器本体、底板および蓋体を板状にできるため嵩張らず、被包装物を包装する際には、底板の形状を変えるだけで容器本体の開口を複数の折り線に沿ってこの底板の形状に合わせた形状に変形できるなど使い勝手が良好になるとともに、使用済み後のリサイクルを容易にできる。
【００３６】
請求項２記載の使い捨て包装用容器によれば、蓋体の外縁部から突出させてこの蓋体と一体に設けた取付部を容器本体の上方の外側面に取り外し可能に取り付けて蓋体をこの容器本体の上方の開口に固定することにより、この蓋体の容器本体に包装された被包装物への接触を防止してこの被包装物を衛生的に包装できる。
【００３７】
請求項３記載の使い捨て包装用容器によれば、蓋体の略中心域に貫通孔を設けてこの貫通孔に透光性を有するシートを取り付けることにより、容器本体の上方の開口に蓋体を取り付けた状態でもこの容器本体に包装された被包装物がこの容器本体の外部に蓋体の貫通孔を介して露出するため、この被包装物を外部から確認できる。
【図面の簡単な説明】
【図１】本発明の使い捨て包装用容器の一実施の形態を示す斜視図である。
【図２】同上使い捨て包装用容器の容器本体を示す平面図である。
【図３】同上使い捨て包装用容器の蓋体を示す平面図である。
【符号の説明】
１    使い捨て包装用容器
２    容器本体
３    底板
４    蓋体
５，24，25    板紙材
６    折り線
15    支持部
26    貫通孔
27    シート
28    取付部
【図１】
0003636701.tif 000002
【図２】
0003636701.tif 000003
【図３】
0003636701.tif 000004